【手続補正書】
【提出日】令和2年8月20日(2020.8.20)
【手続補正１】
【補正対象書類名】明細書
【補正対象項目名】全文
【補正方法】変更
【補正の内容】
【発明の詳細な説明】
【発明の名称】両軸受リールのスプール
【技術分野】
【０００１】
本発明は、スプール軸に取り付けられる両軸受リールのスプールに関する。
【背景技術】
【０００２】
従来の両軸受リールのスプールでは、釣り糸の巻き始めにおいて釣り糸の端部をスプールに係止するために、釣り糸を糸巻き胴部そのものに結び付けたり、釣り糸を糸巻き胴部に粘着テープによって貼り付けたりしていた。
【０００３】
この場合、糸巻き胴部に巻き付けられた釣り糸の糸巻き形状が、結び目や粘着テープの部分において、凸状に形成されるおそれがある。ここで、釣り糸の糸巻き形状が凸状に形成されると、釣り糸がスプールに巻き付けられた状態において、スプールの重心が偏心する。このため、スプールが高速回転するキャスティング時において、スプールが振動してしまうおそれがある。
【０００４】
この問題を解決するために、糸巻き胴部の外周面に設けられた凹部に釣り糸の結び目を収容するスプール（特許文献１を参照）や、糸巻き胴部の内部に設けた係止部に釣り糸を係止するスプール（特許文献２を参照）が、開示されている。
【先行技術文献】
【特許文献】
【０００５】
【特許文献１】特開平１１−７５６３５号公報
【特許文献２】特開２０００−２６２１９１号公報
【発明の概要】
【発明が解決しようとする課題】
【０００６】
特許文献１のスプールでは、凹部や結び目そのものによって、スプールに偏心が生じるおそれがある。一方で、特許文献２のスプールでは、係止部を左右対称に配置し、結び目を作ることなく係止部に係止することによって、スプールに偏心が生じにくくなる。しかしながら、特許文献２のスプールでは、係止部が糸巻き胴部の内部に設けられているので、糸巻き胴部内の狭い空間において、釣り糸を係止部に係止することが難しい。
【０００７】
本発明は、上記の問題に鑑みてなされたものであって、本発明の目的は、釣り糸を糸巻き胴部に巻き付け始める際に釣り糸の端部を係止部に容易に係止可能であり、釣り糸を糸巻き胴部に均等に巻き付け可能であり、且つバランスを好適に保持可能なスプールを、提供することにある。
【課題を解決するための手段】
【０００８】
本発明の一側面に係る両軸受リールのスプールは、スプール軸に取り付けられる。スプールは、スプール本体と、糸止め部材とを、備える。スプール本体は、スプール装着部と、糸巻き胴部とを、有する。スプール装着部は、スプール軸に装着される。糸巻き胴部は、径方向において、スプール装着部と間隔を隔てて配置される。糸巻き胴部は、周方向に間隔を隔てて配置される複数の貫通孔を、有する。
【０００９】
糸止め部材は、線状部材によって形成される。糸止め部材は、取付部と、複数の係止部とを、有する。取付部は、スプール軸側に取り付けられる。複数の係止部は、周方向に等間隔に配置され、取付部から糸巻き胴部に向けて延び、少なくとも１つの貫通孔から露出している。また、係止部は、貫通孔を介して、釣り糸を係止可能に構成される。
【００１０】
本スプールでは、係止部が、貫通孔から露出しているので、釣り糸を糸巻き胴部に巻き付け始める際に、釣り糸の端部を係止部に容易に係止することができる。また、係止部は、貫通孔を介して釣り糸を係止するので、釣り糸を糸巻き胴部に均等に巻き付けることができる。
【００１１】
さらに、係止部は、周方向に等間隔に配置されているので、スプールのバランスを好適に保持することができる。また、この係止部に釣り糸を係止した状態で、釣り糸を糸巻き胴部に巻き付けることによって、スプールのバランスを崩すことなく、釣り糸を糸巻き胴部に均等に巻き付けることができる。
【００１２】
本発明の別の側面に係る両軸受リールのスプールでは、係止部が、糸巻き胴部の外周面より径方向内側に配置されることが好ましい。
【００１３】
この構成によって、釣り糸が係止部に係止される部分を、貫通孔の内部又は糸巻き胴部の内側に確実に配置することができる。すなわち、釣り糸の端部を係止部に容易に係止することができ、釣り糸を糸巻き胴部に均等に巻き付けることができる。
【００１４】
本発明の別の側面に係る両軸受リールのスプールでは、スプール装着部が、環状に形成された環状溝部を、有することが好ましい。この場合、取付部は、環状に形成され、環状溝部に配置される。この構成によって、糸止め部材をスプール装着部に好適に取り付けることができる。例えば、固定部材を用いることなく、糸止め部材をスプール装着部に容易に装着することができる。
【００１５】
本発明の別の側面に係る両軸受リールのスプールでは、係止部が、釣り糸を保持する保持部を、有することが好ましい。この場合、保持部の少なくとも一部は、貫通孔の内部に配置される。この構成によって、スプール本体に対する糸止め部材の回転を、貫通孔の内部に配置された保持部によって規制することができる。
【００１６】
本発明の別の側面に係る両軸受リールのスプールでは、係止部が、取付部から保持部に向けて延びる連結部を、さらに有することが好ましい。この構成によって、保持部の少なくとも一部を好適に貫通孔の内部に配置することができる。
【００１７】
本発明の別の側面に係る両軸受リールのスプールでは、保持部が、釣り糸を挟持可能に形成されることが好ましい。この構成によって、釣り糸を保持部に容易に係止することができる。
【００１８】
本発明の別の側面に係る両軸受リールのスプールでは、線状部材が、金属製であることが好ましい。この構成によって、糸止め部材の強度を保持した上で、糸止め部材を容易に形成することができる。
【発明の効果】
【００１９】
本発明では、両軸受リールのスプールにおいて、釣り糸を糸巻き胴部に巻き始める際に釣り糸の端部を係止部に容易に係止でき、釣り糸を糸巻き胴部に均等に巻き付けることができ、且つバランスを好適に保持できる。
【図面の簡単な説明】
【００２０】
【図１】本発明の一実施形態を採用した両軸受リールの斜視図。
【図２】両軸受リールの側面図。
【図３】図２の切断線ＩＩＩ−ＩＩＩにおける断面図。
【図４】図３の部分拡大断面図。
【図５】糸止め部材の斜視図。
【図６】変形例１における糸止め部材の斜視図。
【図７】変形例２における糸止め部材の斜視図。
【図８】変形例３における糸止め部材の斜視図。
【図９】変形例４における糸止め部材の斜視図。
【発明を実施するための形態】
【００２１】
図１には、本発明の一実施形態が採用された両軸受リール１が、示されている。図１及び図２に示すように、両軸受リール１は、リール本体３と、ハンドル５と、スプール軸７（図３を参照）と、スプール９とを、備える。
【００２２】
以下では、釣り糸を前方に繰り出す方向を“前方”、釣り糸を前方に繰り出す方向とは反対の方向を“後方”と、表現することがある。また、リール本体３が釣り竿に装着される側を“下方”、リール本体３が釣り竿に装着される側とは反対の方向を“上方”と、表現することがある。
【００２３】
また、スプール軸７が延びる方向、例えばスプール軸７の中心軸心Ａ１が延びる方向を、“スプール軸方向”と表現することがある。また、スプール軸７から離れる方向を、“径方向”と表現することがある。詳細には、“径方向”とは、スプール軸７を中心とした円における径方向を、示す。さらに、スプール軸７まわりの方向を、“周方向”と表現することがある。詳細には、“周方向”とは、スプール軸７を中心とした円における周方向を、示す。
【００２４】
＜リール本体＞
図３に示すように、リール本体３は、フレーム１１と、カバー部１３とを、有する。フレーム１１は、第１側板１１ａと、第２側板１１ｂと、固定部１１ｃと、複数の連結部（図示しない）とを、有する。第１側板１１ａ及び第２側板１１ｂは、スプール軸方向Ｊ１において、間隔を隔てて配置される。詳細には、第１側板１１ａはハンドル５側に設けられ、第２側板１１ｂはハンドル５とは反対側に設けられる。第１側板１１ａ及び第２側板１１ｂの間には、スプール９が配置される。
【００２５】
固定部１１ｃは、第２側板１１ｂ及び第２側カバー１３ｂ（後述する）の少なくとも一方に、取り付けられる。ここでは、固定部１１ｃは、第２側板１１ｂ及び第２側カバー１３ｂに、取り付けられる。固定部１１ｃには、第２軸受１２ｂ（後述する）が装着される。複数の連結部は、第１側板１１ａ及び第２側板１１ｂを連結する。
【００２６】
ここで、図３に示すように、第１側カバー１３ａ及び第１側板１１ａの間には、内部空間Ｓが形成される。内部空間Ｓには、回転伝達機構１５が収容される。回転伝達機構１５は、ハンドル５の回転をスプール９に伝達する機構である。
【００２７】
回転伝達機構１５は、ハンドル５と一体的に回転する駆動軸（図示しない）と、駆動軸と一体的に回転する駆動ギア（図示しない）と、駆動ギアと噛み合うピニオンギア１６とを、有する。
【００２８】
＜ハンドル＞
図１から図３に示すように、ハンドル５は、リール本体３に回転可能に構成される。詳細には、ハンドル５は、リール本体３の側方に配置され、リール本体３に回転自在に装着される。より詳細には、ハンドル５は、第１側カバー１３ａ側において、フレーム１１に回転可能に装着される。
【００２９】
ハンドル５は、回転伝達機構１５を介して、スプール９を回転させる。詳細には、ピニオンギア１６及びクラッチピン７ａが係合した状態において、ハンドル５が回転すると、スプール９が、回転伝達機構１５を介して、回転する。
【００３０】
＜スプール軸＞
図３に示すように、スプール軸７は、リール本体３に対して回転可能に構成される。詳細には、スプール軸７は、フレーム１１に対して回転可能に構成される。
【００３１】
ここでは、スプール軸７は、第１側板１１ａ及び第２側板１１ｂに対して回転可能なように、第１軸受１２ａ及び第２軸受１２ｂによって支持される。第１軸受１２ａは、第１側板１１ａに装着される。
【００３２】
第２軸受１２ｂは、第２側板１１ｂに装着される。詳細には、第２軸受１２ｂは、固定部１１ｃに装着される。すなわち、第２軸受１２ｂは、固定部１１ｃを介して、第２側板１１ｂに装着される。また、第２軸受１２ｂは、固定部１１ｃを介して、第２側カバー１３ｂに装着される。
【００３３】
スプール軸７の一端部は、第１摩擦プレート１７ａを介して、制動キャップ１４に当接する。制動キャップ１４は、第１側カバー１３ａの螺合部１３ｄに螺合する。スプール軸７の他端部は、第２摩擦プレート１７ｂを介して、第２側板１１ｂに当接する。
【００３４】
スプール軸７は、クラッチピン７ａを有する。クラッチピン７ａは、スプール軸７を径方向に貫通し、スプール軸７の外周面から突出する。クラッチピン７ａは、スプール軸方向Ｊ１において、第１軸受１２ａとピニオンギア１６との間に配置される。クラッチピン７ａには、上述したように、ピニオンギア１６の係合凹部１６ａが係合可能である。また、ピニオンギア１６の係合凹部１６ａは、クラッチピン７ａから離脱可能である。
【００３５】
＜スプール＞
スプール９は、釣り糸を巻き付け可能に構成される。図３に示すように、スプール９は、フレーム１１に対して回転可能に装着される。詳細には、スプール９は、スプール軸７を介して、フレーム１１に対して回転可能に装着される。
【００３６】
スプール９は、第１側板１１ａ及び第２側板１１ｂの間に配置される。スプール９は、スプール軸７に取り付けられる。スプール９は、スプール軸７と一体的に回転可能に装着される。ここでは、スプール９は、固定手段例えば圧入によって、スプール軸７に固定される。スプール９は、スプール本体２１と、糸止め部材２３とを、備える。
【００３７】
（スプール本体）
図４に示すように、スプール本体２１は、スプール装着部２５と、１対のフランジ部２７ａ，２７ｂと、糸巻き胴部２９と、接続部３１とを、有する。
【００３８】
スプール装着部２５は、スプール軸７に装着される。スプール装着部２５は、環状溝部２５ｂを有する。詳細には、スプール装着部２５は、筒状部２５ａと、環状溝部２５ｂとを、有する。筒状部２５ａは、実質的に筒状に形成される。筒状部２５ａは、糸巻き胴部２９の径方向内側に設けられる。筒状部２５ａは、スプール軸７の外周部に固定される。詳細には、筒状部２５ａの内周面が、固定手段例えば圧入によって、スプール軸７の外周面に固定される。
【００３９】
環状溝部２５ｂは、環状に形成された溝部である。環状溝部２５ｂは、筒状部２５ａの外周面に設けられる。環状溝部２５ｂは、第１側板１１ａ側において、筒状部２５ａの外周面に形成される。環状溝部２５ｂは、筒状部２５ａの外周面において、凹状に形成され、周方向に延びる。環状溝部２５ｂには、糸止め部材２３例えば取付部３３（後述する）が、配置される。
【００４０】
１対のフランジ部２７ａ，２７ｂは、糸巻き胴部２９の両端部に各別に設けられる。各フランジ部２７ａ，２７ｂは、糸巻き胴部２９と一体に形成されている。各フランジ部２７ａ，２７ｂは、糸巻き胴部２９の端部から径方向外側に延び、周方向に環状に形成されている。
【００４１】
糸巻き胴部２９は、径方向において、スプール装着部２５と間隔を隔てて配置される。糸巻き胴部２９は、周方向に間隔を隔てて配置された複数の第１貫通孔２９ｂ（貫通孔の一例）を、有する。ここで、釣り糸を係止部３５に係止するために用いられる第１貫通孔２９ｂは、周方向に等間隔に配置されている。
【００４２】
具体的には、糸巻き胴部２９は、胴体部２９ａと、複数の第１貫通孔２９ｂとを、有する。胴体部２９ａは、実質的に筒状に形成される。胴体部２９ａは、スプール装着部２５の径方向外側に配置され、接続部３１と一体に形成される。
【００４３】
複数の第１貫通孔２９ｂそれぞれは、周方向に間隔を隔てて、胴体部２９ａに設けられる。詳細には、複数の第１貫通孔２９ｂそれぞれは、周方向に等間隔で胴体部２９ａに設けられる。各第１貫通孔２９ｂは、胴体部２９ａを径方向に貫通する。例えば、各第１貫通孔２９ｂは、スプール軸方向Ｊ１における胴体部２９ａの中央部に、形成される。
【００４４】
接続部３１は、スプール装着部２５及び糸巻き胴部２９を接続する部分である。接続部３１は、スプール装着部２５から糸巻き胴部２９に向けて延びる。接続部３１は、第２貫通孔３１ｂを有する。詳細には、接続部３１は、複数の第２貫通孔３１ｂを有する。
【００４５】
具体的には、接続部３１は、環状部３１ａと、複数の第２貫通孔３１ｂとを、有する。環状部３１ａは、実質的に環状に形成される。環状部３１ａは、スプール装着部２５及び糸巻き胴部２９の径方向間において、スプール装着部２５及び糸巻き胴部２９と一体に形成される。
【００４６】
複数の第２貫通孔３１ｂそれぞれは、周方向に間隔を隔てて、環状部３１ａに設けられる。各第２貫通孔３１ｂは、環状部３１ａをスプール軸方向Ｊ１に貫通する。各第２貫通孔３１ｂは、環状部３１ａの径方向外側に形成される。各第２貫通孔３１ｂの内周面は、径方向外側において、各第１貫通孔２９ｂの内周面に繋がっている。
【００４７】
（糸止め部材）
図５に示すように、糸止め部材２３は、線状部材によって形成される。詳細には、糸止め部材２３は、金属製の線状部材によって、形成される。例えば、糸止め部材２３は、金属製の線状部材を湾曲成形及び折り曲げ成形することによって、形成される。なお、金属製の線状部材は、合成樹脂等によって被覆されていてもよい。
【００４８】
図４及び図５に示すように、糸止め部材２３は、スプール本体２１に取り付けられる。糸止め部材２３は、取付部３３と、複数（例えば２個）の係止部３５とを、有する。取付部３３は、スプール軸７側に取り付けられる。ここでは、取付部３３は、スプール装着部２５に取り付けられる。取付部３３は、環状に形成される。取付部３３は、スプール装着部２５の環状溝部２５ｂに、配置される。
【００４９】
詳細には、図５に示すように、取付部３３は、線状部材を円環状に巻くことによって、形成される。環状の取付部３３は、線状部材の巻き方向とは反対の方向に巻き戻すことによって、径方向に弾性的に拡径可能である。環状の取付部３３を拡径することによって、環状の取付部３３は、筒状部２５ａの端部から環状溝部２５ｂに向けて筒状部２５ａを通過し、復元力によって環状溝部２５ｂに嵌合される。
【００５０】
図４に示すように、複数の係止部３５それぞれは、第１貫通孔２９ｂを介して、釣り糸を係止可能に構成される。詳細には、各係止部３５は、複数の第１貫通孔２９ｂの中の２個の貫通孔を介して、釣り糸を係止可能に構成される。これら２個の第１貫通孔２９ｂは、径方向に互いに対向して配置されている。例えば、これら２個の第１貫通孔２９ｂは、周方向に等間隔、例えば１８０度の間隔で配置されている。
【００５１】
各係止部３５は、取付部３３から糸巻き胴部２９に向けて延びる。詳細には、各係止部３５は、取付部３３から第１貫通孔２９ｂに向けて延びる。各係止部３５は、第１貫通孔２９ｂから露出している。詳細には、各係止部３５の先端部が、第１貫通孔２９ｂから露出している。より詳細には、スプール９を径方向外側から見た場合に、各係止部３５の先端部が、上記の２個の第１貫通孔２９ｂそれぞれから、露出している。各係止部３５は、周方向において等間隔で配置される。ここでは、各係止部３５は、周方向において、例えば１８０度の間隔で、配置される。各係止部３５は、糸巻き胴部２９の外周面２９ｃより径方向内側に配置される。
【００５２】
具体的には、図５に示すように、各係止部３５は、連結部３７と、保持部３９とを、有する。連結部３７は、取付部３３及び保持部３９を連結する部分である。連結部３７は、取付部３３及び保持部３９と一体に形成される。連結部３７は、取付部３３から保持部３９に向けて延び、保持部３９に接続される。ここでは、連結部３７は、周方向において、例えば１８０度の間隔で、配置される。
【００５３】
連結部３７は、環状の取付部３３を形成する線状部材を、径方向外側に折り曲げることによって、形成される。ここで、図４に示すように、糸止め部材２３がスプール本体２１に取り付けられた状態では、連結部３７は、スプール本体２１の接続部３１に沿って、径方向に延びる。
【００５４】
保持部３９は、釣り糸を保持する部分である。保持部３９は、釣り糸を挟持可能に形成される。保持部３９は、連結部３７と一体に形成される。例えば、連結部３７を形成する線状部材を第１軸方向Ｈ１に折り曲げ、この線状部材を第１軸方向Ｈ１とは反対の第２軸方向Ｈ２にさらに折り曲げることによって、保持部３９は形成される。
【００５５】
第１軸方向Ｈ１及び第２軸方向Ｈ２は、環状の取付部３３の中心軸芯Ｃ１が延びる方向に沿う方向である。ここでは、第１軸方向Ｈ１は、ハンドル５から離れる方向であり、第２軸方向Ｈ２は、スプール９からハンドル５に向かう方向である。糸止め部材２３がスプール本体２１に取り付けられた状態では、取付部３３の中心軸芯Ｃ１は、スプール軸７の中心軸心Ａ１と実質的に同芯である。
【００５６】
具体的には、図５に示すように、保持部３９は、上記の第１軸方向Ｈ１に延びる第１部分３９ａと、上記の第２軸方向Ｈ２に延びる第２部分３９ｂとを、有する。第１部分３９ａ及び第２部分３９ｂは、環状の取付部３３の中心軸芯Ｃ１と食い違う方向において、互いに並べて配置される。詳細には、第１部分３９ａ及び第２部分３９ｂは、環状の取付部３３の中心軸芯Ｃ１と直交する方向において、互いに並べて配置される。この状態において、第１部分３９ａ及び第２部分３９ｂは、互いに接触する。
【００５７】
第２部分３９ｂの端部３９ｃ（線上部材の端部）は、径方向外側に折り曲げられる。第２部分３９ｂの端部３９ｃは、糸巻き胴部２９の外周面２９ｃより径方向内側に配置される。
【００５８】
釣り糸は、第２部分３９ｂの端部３９ｃから第１部分３９ａ及び第２部分３９ｂの間に挿入され、第１部分３９ａ及び第２部分３９ｂによって挟持される。この場合、釣り糸は、保持部３９に結び付けることなく、第１部分３９ａ及び第２部分３９ｂに挟持させることができる。釣り糸は、保持部３９に結び付けてもよい。
【００５９】
なお、第１部分３９ａ及び第２部分３９ｂは、部分的に接触していても、全体的に接触していてもよい。また、第１部分３９ａ及び第２部分３９ｂは、釣り糸の外径より小さい間隔であれば、非接触であってもよい。
【００６０】
このように構成された保持部３９は、糸止め部材２３がスプール本体２１に取り付けられた状態においてスプール９を径方向外側から見た場合、各保持部３９は、第１貫通孔２９ｂから露出している（図１を参照）。また、糸止め部材２３がスプール本体２１に取り付けられた状態において、各保持部３９は、糸巻き胴部２９の外周面２９ｃより径方向内側に配置される。さらに、この状態において、各保持部３９の少なくとも一部は、第１貫通孔２９ｂの内部に配置される。ここでは、各保持部３９の一部が、糸巻き胴部２９の第１貫通孔２９ｂの内部に配置される。また、各保持部３９の一部は、接続部３１の第２貫通孔３１ｂの内部に配置される。
【００６１】
以上のような構成を有する両軸受リール１では、スプール９の係止部３５が、第１貫通孔２９ｂから露出しているので、釣り糸を糸巻き胴部２９に巻き付け始める際に、釣り糸の端部を係止部３５に容易に係止することができる。また、係止部３５は、第１貫通孔２９ｂを介して釣り糸を係止するので、釣り糸を糸巻き胴部２９に均等に巻き付けることができる。
【００６２】
さらに、係止部３５は、周方向に等間隔に配置されているので、スプール９のバランスを好適に保持することができる。また、この係止部３５に釣り糸を係止した状態で、釣り糸を糸巻き胴部２９に巻き付けることによって、スプール９のバランスを崩すことなく、釣り糸を糸巻き胴部２９に均等に巻き付けることができる。
【００６３】
＜変形例＞
以上、本発明の実施形態について説明したが、本発明はこれらに限定されるものではなく、本発明の趣旨を逸脱しない限りにおいて種々の変更が可能である。
【００６４】
（変形例１）
前記実施形態では、保持部３９における第１部分３９ａ及び第２部分３９ｂが、環状の取付部３３の中心軸芯Ｃ１と食い違う方向において、互いに並べて配置される場合の例を示した。これに代えて、図６に示すように、第１部分３９ａ及び第２部分３９ｂを、中心軸芯Ｃ１から離れる径方向（スプール軸７の中心軸心Ａ１から離れる径方向）に並べて配置してもよい。
【００６５】
（変形例２）
前記実施形態では、保持部３９が、第１部分３９ａと第２部分３９ｂとを有する場合の例を示した。これに代えて、図７に示すように、保持部１３９を形成してもよい。
【００６６】
この場合、保持部１３９は、連結部３７から第１軸方向Ｈ１に延びる第３部分１３９ａと、第３部分１３９ａから径方向外側に延びる第４部分１３９ｂと、第４部分１３９ｂから径方向内側に延びる第５部分１３９ｃと、第５部分１３９ｃから第１軸方向Ｈ１に延びる第６部分１３９ｄとを、有する。第５部分１３９ｃ及び第６部分１３９ｄの間の折曲部は、糸巻き胴部２９の外周面２９ｃより径方向内側に配置される。
【００６７】
この構成では、釣り糸は、第６部分１３９ｄの端部から第４部分１３９ｂ及び第５部分１３９ｃの間に挿入され、第４部分１３９ｂ及び第５部分１３９ｃによって挟持される。この場合、釣り糸は、保持部１３９に結び付けることなく、第４部分１３９ｂ及び第５部分１３９ｃに挟持させることができる。釣り糸は、保持部１３９に結び付けてもよい。
【００６８】
なお、第４部分１３９ｂ及び第５部分１３９ｃが、前記実施形態の第１部分３９ａ及び第２部分３９ｂに対応する。第４部分１３９ｂ及び第５部分１３９ｃは、前記実施形態と同様に、互いに接触していても、非接触であってもよい。
【００６９】
・変形例３
前記実施形態では、保持部３９が、第１部分３９ａと第２部分３９ｂとを有する場合の例を示した。これに代えて、図８に示すように、保持部２３９を形成してもよい。
【００７０】
この場合、保持部２３９は、連結部３７から第１軸方向Ｈ１に延びる第７部分２３９ａと、第７部分２３９ａから第２軸方向Ｈ２且つ径方向内側に延びる第８部分２３９ｂと、第８部分２３９ｂから径方向内側に延びる第９部分２３９ｃとを、有する。第７部分２３９ａは、糸巻き胴部２９の外周面２９ｃより径方向内側に配置される。第７部分２３９ａ及び第８部分２３９ｂは、互いに間隔を隔てて配置される。第９部分２３９ｃ及び連結部３７は、互いに間隔を隔てて配置される。
【００７１】
この構成では、釣り糸は、第９部分２３９ｃ及び連結部３７の間から、第７部分２３９ａ及び第８部分２３９ｂの間に配置され、第７部分２３９ａに結び付けられる。なお、第７部分２３９ａ及び第８部分２３９ｂは、互いに接触していてもよい。この場合、釣り糸は、保持部２３９に結び付けることなく、第７部分２３９ａ及び第８部分２３９ｂに挟持させることができる。釣り糸は、保持部２３９に結び付けてもよい。
【００７２】
・変形例４
前記実施形態では、保持部３９が、第１部分３９ａと第２部分３９ｂとを有する場合の例を示した。これに代えて、図９に示すように、保持部３３９を形成してもよい。
【００７３】
この場合、保持部３３９は、連結部３７から第１軸方向Ｈ１に延びる第１０部分３３９ａと、第１０部分３３９ａから第１周方向に延びる第１１部分３３９ｂと、第１１部分３３９ｂから第２周方向に延びる第１２部分３３９ｃと、第１２部分３３９ｃから第１軸方向Ｈ１に延びる第１３部分３３９ｄとを、有する。
【００７４】
第１周方向Ｒ１及び第２周方向Ｒ２は、環状の取付部３３の中心軸芯Ｃ１まわりの周方向である。第１周方向Ｒ１は、ハンドル５の回転によってスプール９が回転する回転方向である。第２周方向Ｒ２は、第１周方向Ｒ１とは反対の方向である。
【００７５】
なお、第１周方向Ｒ１及び第２周方向Ｒ２は、取付部３３の中心軸芯Ｃ１に食い違う方向、例えば取付部３３の中心軸芯Ｃ１に直交する方向であってもよい。
【００７６】
この構成では、釣り糸は、第１３部分３３９ｄから第１１部分３３９ｂ及び第１２部分３３９ｃの間に挿入され、第１１部分３３９ｂ及び第１２部分３３９ｃによって挟持される。この場合、釣り糸は、保持部３３９に結び付けることなく、第１１部分３３９ｂ及び第１２部分３３９ｃに挟持させることができる。釣り糸は、保持部３３９に結び付けてもよい。
【００７７】
なお、第１１部分３３９ｂ及び第１２部分３３９ｃが、前記実施形態の第１部分３９ａ及び第２部分３９ｂに対応する。第１１部分３３９ｂ及び第１２部分３３９ｃは、前記実施形態と同様に、互いに接触していても、非接触であってもよい。
【００７８】
＜他の実施形態＞
以上、本発明の実施形態（変形例を含む）について説明したが、本発明はこれらに限定されるものではなく、本発明の趣旨を逸脱しない限りにおいて種々の変更が可能である。
【００７９】
（Ａ）前記実施形態では、保持部３９，１３９，２３９，３３９が、糸巻き胴部２９の外周面２９ｃより内側に配置される場合の例を示したが、保持部３９，１３９，２３９，３３９は、糸巻き胴部２９の外周面２９ｃと実質的に面一に配置されてもよい。また、釣り糸を保持部３９，１３９，２３９，３３９に係止できれば、保持部３９，１３９，２３９，３３９は糸巻き胴部２９の内周面より内側に配置されてもよい。
【００８０】
さらに、釣り糸がスプール９に巻き付けられた状態において、保持部３９，１３９，２３９，３３９は、糸の張力によって弾性変形し、糸巻き胴部２９の外周面２９ｃと実質的に面一、又は糸巻き胴部２９の外周面２９ｃより内側に配置されていればよい。なお、釣り糸がスプール９に巻き付けられてない状態では、保持部３９，１３９，２３９，３３９が、糸巻き胴部２９の外周面２９ｃより僅かに外側に配置されていてもよい。
【００８１】
（Ｂ）前記実施形態では、第１軸方向Ｈ１及び第２軸方向Ｈ２を用いて、保持部３９，１３９，２３９，３３９の形状を説明したが、第１貫通孔２９ｂを介して釣り糸を保持できるのであれば、保持部３９，１３９，２３９，３３９の形状は、他の形状であってもよい。
【００８２】
（Ｃ）前記実施形態では、第１貫通孔２９ｂが糸巻き胴部２９の中央部に形成される場合の例を示したが、第１貫通孔２９ｂの形成位置は、いずれのフランジ部に偏移していてもよい。また、第２貫通孔３１ｂは形成しなくてもよい。
【００８３】
（Ｄ）前記実施形態では、２個の係止部３５（保持部３９，１３９，２３９，３３９）の両方が、対向して配置された１対の第１貫通孔２９ｂから露出する場合の例を示した。これに代えて、２個の係止部３５（保持部３９，１３９，２３９，３３９）のいずれか一方が、第１貫通孔２９ｂから露出するように、糸止め部材２３及び／又は糸巻き胴部２９を、構成してもよい。すなわち、複数の係止部３５（保持部３９，１３９，２３９，３３９）の少なくともいずれか１つが、第１貫通孔２９ｂから露出するように、糸止め部材２３及び／又は糸巻き胴部２９を、構成してもよい。
【００８４】
（Ｅ）前記実施形態では、糸止め部材２３の取付部３３が、スプール装着部２５の環状溝部２５ｂに配置される場合の例を示した。これに代えて、スプール軸７に環状溝部を設けることによって、この環状溝部に糸止め部材２３の取付部３３を配置してもよい。また、糸止め部材２３の取付部３３を、上記の環状溝部に配置するものではなく、止め輪などの固定部材によって、スプール装着部２５又はスプール軸７に対して軸方向に移動不能に取り付けてもよい。
【符号の説明】
【００８５】
１  両軸受リール
９  スプール
２１  スプール本体
２３  糸止め部材
２５  スプール装着部
２５ｂ  環状溝部
２９  糸巻き胴部
２９ｂ  第１貫通孔
３３  取付部
３５  係止部
３７  連結部
３９，１３９，２３９，３３９  保持部